(57)【要約】      （修正有）【課題】可撓性の胴部を備えた内容器の上端開口を閉塞してディスペンサーを装着し、ディスペンサーを自立性のあるカバー筒に嵌合してカバー筒内に内容器を収納してなる液体噴出容器であって、液の排出効率が良く残液の少ない液体噴出容器を提供する。【解決手段】内容器の底部を、中央に隆起した隆起壁部17と、隆起壁部17の周縁より延設した断面Ｖ字状をなす環状壁部18とで構成し、隆起壁部17がその他の胴部を構成する壁部より肉厚に形成されている。【選択図】図１
2008114859.tif 000002
【特許請求の範囲】
【請求項１】
可撓性の薄肉胴部10を備えた内容器Ｂの上端開口を閉塞してディスペンサーＣを装着し、該ディスペンサーＣを自立性のあるカバー筒Ａに嵌合してカバー筒Ａ内に内容器Ｂを収納してなる液体噴出容器であって、内容器Ｂの底部が、中央に隆起した隆起壁部17と、隆起壁部17の周縁より延設した断面Ｖ字状の環状壁部18とで構成され、隆起壁部17がその他の胴部を構成する壁部より肉厚に形成されていることを特徴とする液体噴出容器。
【請求項２】
前記内容器Ｂをブロー成形で形成してなる請求項１に記載の液体噴出容器。
【請求項３】
前記内容器Ｂが、口頸部12より外方へ、充填の際の治具受けとなるフランジ部13を一体に延設してなる請求項１又は請求項２のいずれかに記載の液体噴出容器。
【発明の詳細な説明】
【技術分野】
【０００１】
本発明は液体噴出容器に関し、詳しくは、外容器体内に薄肉の内容器を備えた容器体に対してディスペンサーを装着したタイプの液体噴出容器に関する。
【背景技術】
【０００２】
外容器と内容器からなる容器体にディスペンサーを組み付けた液体噴出容器が提案されている。（例えば、特許文献１参照）。
【０００３】
上記液体噴出容器は、ボトル状の内容器と、内容器の口頸部に装着したディスペンサーと、内容器の胴部を被覆して嵌着した外容器とから構成している。  
【０００４】
上記容器は外容器と内容器との分離や組み付けが容易で、化粧料容器にも好適な外観に優れたものであるが、噴出効率が悪く、その結果残液の量が多く、液を無駄に廃棄することとなる。この点に関して、以下の理由が予想される。即ち、従来のこの種の液体噴出容器では、内容器が可撓性で液の噴出に伴い内容積を減少する如く胴部が収縮する形態であり、このことと、内容器の胴部の底壁部が周壁部と比較して肉厚に形成されていることとが相俟って、液の噴出に伴う内容器の収縮時に、肉厚のため変形しずらい底壁上方に於いて変形が容易な周壁部相互が密着して液溜まりを生じ、その液溜まりが密閉されて噴出されないという結果生じる点が挙げられる。内容器の底壁部が周壁部と比較して肉厚に形成される理由としては、この種の容器が通常ブロー成形により形成される場合が多く、その場合に胴部底壁がその他の胴部周壁より肉厚に形成される傾向があることが挙げられる。          
【特許文献１】特開２００４−３０７０４８号公報
【発明の開示】
【発明が解決しようとする課題】
【０００５】
本発明は上記した点に鑑みてなされたもので、液の噴出効率が良く、残液量をできるだけ少なくすることができる液体噴出容器を提案する。また、液の充填，それに伴う容器の組み付け操作が容易な液体噴出容器を提案する。
【課題を解決するための手段】
【０００６】
本発明の液体噴出容器は、カバー筒と、内容器と、ディスペンサーとを備えている。
【０００７】
カバー筒は合成樹脂等により形成したもので、ディスペンサーを装着した内容器を収納し、それらを自立させることができる剛性，保形性を備えている。カバー筒は有底であっても底壁を備えていないものであっても良い。
【０００８】
内容器は、可撓性の薄肉な胴部を備え、胴部上端より肩部を介して口頸部を起立したボトル形態のものが好ましく使用される。また、内容器に於ける胴部の底部は、中央に隆起した隆起壁部と、隆起壁部の周縁より延設した断面Ｖ字状の環状壁部とで構成しており、隆起壁部が断面Ｖ字状の環状壁部を含むその他の胴部を構成する壁部より肉厚に形成されている。薄肉に構成されたその他の胴部を構成する壁部が収納液の排出により内容積を減少する如く変形するのに対し、隆起壁部は収納液の排出により変形し難い剛性が得られる厚みを採用する。具体的には使用する合成樹脂の種類等により適宜選択すればよいが、その他の胴部を構成する壁部の厚みの２〜１０倍程度の厚みが好ましく採用できる。尚、ここで言う胴部は底壁と周壁とで構成する部分を指す。
【０００９】
内容器を製造する方法は特に限定されないが、プリフォームを使用したブロー成形で形成すると、肉厚な隆起壁部と薄肉なその他の胴部の壁部とを容易に形成できる。即ち、ブロー成形では底部の水平部分がその他の周壁や断面Ｖ字状の環状壁部等と比較して伸び率が少なくより厚く形成される傾向があるため、内容器の大きさ等から予めプリフォームの肉厚を特定しておけば、求める肉厚の隆起壁部及びその他の薄肉の胴部壁部が形成できる。
【００１０】
隆起壁部の具体的形状としては、例えば、平面視円形状や多角形状が挙げられる。また、環状壁部の断面形状は、左右が対称のＶ字状をなすものに限らず、左右壁の傾斜角度が相違するものであっても良く、また、下縁先端が鋭角に尖っているものに限らず、むしろ先端がＲ状に湾曲しているものが好ましく採用できる。
【００１１】
ディスペンサーは、上端の押し下げヘッドを上下動させることにより、内容器の上部に開口した吸引口より内容器内の液を吸い上げて押し下げヘッドの噴出口より噴出する如く構成した公知機構のものが使用される。ディスペンサーの下端の吸引口は内容器内の上部に開口する如く構成したものが使用される。
【００１２】
第１の手段として、以下の通り構成した。即ち、可撓性の薄肉胴部10を備えた内容器Ｂの上端開口を閉塞してディスペンサーＣを装着し、該ディスペンサーＣを自立性のあるカバー筒Ａに嵌合してカバー筒Ａ内に内容器Ｂを収納してなる液体噴出容器であって、内容器Ｂの底部が、中央に隆起した隆起壁部17と、隆起壁部17の周縁より延設した断面Ｖ字状の環状壁部18とで構成され、隆起壁部17がその他の胴部を構成する壁部より肉厚に形成されている。
【００１３】
第２の手段として、以下の通り構成した。即ち、前記第１の手段に於いて、前記内容器Ｂをブロー成形で形成した。
【００１４】
第３の手段として、以下の通り構成した。即ち、前記第１の手段又は第２の手段のいずれかの手段に於いて、前記内容器Ｂが、口頸部12より外方へ、充填の際の治具受けとなるフランジ部13を一体に延設した。
【発明の効果】
【００１５】
本発明の液体噴出容器は、従来のこの種の容器と比較して残液の量を極力少なくすることができ、噴出効率を向上させることができる。また、構造も簡単であるため従来品と比較して特別製造費用が嵩むこともなく安価に製造できる利点もある。
【００１６】
また、内容器Ｂをブロー成形で形成した場合には、内容器Ｂの大きさにあわせて予めプリフォームの肉厚を特定しておけば、成形と同時に所定の肉厚の隆起壁部17及びその他の薄肉の胴部10が形成されるため、所望の肉厚にズレのない安定した品質での製造が可能である。
【００１７】
また、内容器Ｂが、口頸部12より外方へ、充填の際の治具受けとなるフランジ部13を一体に延設したものである場合は、筒状の治具上に内容器Ｂを載置して充填及びディスペンサーＣの上方からの打栓が行えるため、内容器Ｂへの液の充填及び内容器ＢへのディスペンサーＣの装着が極めて容易となり、全体的な充填、組み付け作業がより簡素化される。
【発明を実施するための最良の形態】
【００１８】
以下、本発明の実施例の形態を図面を参照して説明する。
【００１９】
図１は本発明液体噴出容器の一例を示し、図中１は液体噴出容器を示す。液体噴出容器１は、カバー筒Ａと、内容器Ｂと、ディスペンサーＣとを備えている。
【００２０】
カバー筒Ａは、底壁２周縁より周壁３を立設した上端開口の有底筒状をなし、合成樹脂により形成されている。また、内容器Ｂ及びディスペンサーＣを装着した状態で全体の起立状態を維持できる剛性を備えている。更に、外周上端部には螺条４を周設している。
【００２１】
内容器Ｂは可撓性の薄肉な筒状胴部10の上端より肩部11を介して口頸部12を起立したボトル形態のもので、口頸部12の外周下部には治具受けとなるフランジ部13を外方へ突設しており、フランジ部13上部の口頸部12外周には係止突条14を周設し、更に、その上部の口頸部12外周には周方向多数の縦突条15を縦設している。フランジ部13は胴部10の外周より外方へ突出して胴部10外周位置に治具を装着出来る如く構成しており、下面には治具の上端を嵌合させるための環状突条16を垂設している。
【００２２】
内容器Ｂに於ける胴部10の底部は、中央に隆起した隆起壁部17と、隆起壁部17の周縁より延設した断面Ｖ字状の環状壁部18とで構成しており、隆起壁部17がその他の胴部10を構成する壁部より肉厚に形成されている。隆起壁部17の厚さは、収納液の排出により内容積を減少する如く収縮するその他の胴部10にと比較して、変形し難い厚みが採用される。
【００２３】
内容器Ｂは、図３に示す如きプリフォーム20を使用してブロー成形により形成される。プリフォーム20は射出成形により形成されたもので、上記したフランジ部13，係止突条14，縦突条15等を備えた複雑で剛性のある口頸部形成部分21と、該口頸部形成部分21下方に連設して胴部10を形成する胴部形成部分22とから構成されており、胴部形成部分22を型通りに膨らませて胴部10を形成する。この際、胴部10の底部の隆起壁部17部分はブロー成形の性質上他の部分と比較して伸び率が少なく肉厚に形成される傾向があり、従って、内容器Ｂの大きさとプリフォーム20の厚みを予め調整しておけば、ブロー成形により所定の肉厚の隆起壁部17とその他の薄肉の胴部部分が形成される。
【００２４】
ディスペンサーＣは、シリンダ30を備え、シリンダ30の上端より上方付勢状態で上下動可能にステム31を突設し、その上端に押し下げヘッド32を嵌着している。また、シリンダ30の下端に短い吸い上げ用のパイプ33を嵌着してその下端を内容器Ｂの上部に開口している。更に、シリンダ30の上端部に装着キャップ34を嵌着している。そして、装着キャップ34により内容器Ｂに装着し、また、カバー筒Ａに装着している。
【００２５】
装着キャップ34は、下部の大径をなす第１周壁部35と上部の小径をなす第２周壁部36とを下部の第１頂板部37を介して連結し、更に、第２周壁部36の上端縁より上部の第２頂板部38を延設し、第２頂板部38の内周縁より上方へ案内筒部39を立設している。また、第１周壁部35の内周には螺条40を周設し、第２周壁部36の下端部には係合突条41を周設し、係合突条41の上方に周方向多数の縦突条42を縦設している。更に、各縦突条42の上方には係止突条43を突周設している。そして、シリンダ30の上端外周から突設したフランジ部44を係止突条43と第２頂板部38との間に挟持させてシリンダ30に装着している。
【００２６】
また、内容器ＢにディスペンサーＣを装着する場合は、例えば、図２に示す如く、フランジ部13の環状突条16外周に筒状の治具50の上端を嵌合させて治具50上にフランジ部13を載置させて内容器Ｂを支持し、内容器Ｂ内への液の充填後に上方からディスペンサーＣを打栓して装着する。この際、第２周壁部36の係合突条41が内容器口頸部12の係止突条14下面に乗り越え係合してディスペンサーＣの上方への抜け出しを防止するとともに、内容器口頸部12の各縦突条15と第２周壁部36の各縦突条42とが互いに係合して相互の回動を防止する如く構成している。
【００２７】
次いで、内容器Ｂをカバー筒Ａ内に収納するとともに、ディスペンサーＣの螺条40をカバー筒Ａの螺条４に螺合させて両者を一体化する。
【００２８】
上記例に於いては内容器ＢにディスペンサーＣを打栓して装着する場合に付いて説明したが、内容器Ｂに対しディスペンサーＣを螺着させる如く構成し、内容器Ｂのみを交換可能に構成することも可能である。その場合、図５に示す如く、補助キャップ30を螺着した交換用の内容器Ｂとして構成して収納液が無くなった際に交換する如く構成することができる。また、この場合には図６に示す如く、フランジ部13の外面に係合突起19を突設し、カバー筒Ａの周壁３上端に対応する係合凹溝５を設けて両者相互の廻り止め機構を構成すると良い。
【図面の簡単な説明】
【００２９】
【図１】本発明液体噴出容器の半断面図である。（実施例１）
【図２】本発明液体噴出容器の内容器の半断面図である。（実施例１）
【図３】本発明の内容器を製造するプリフォームの半断面図である。（実施例１）
【図４】本発明の液体噴出容器の液噴出後の説明図である。（実施例１）
【図５】本発明に於ける交換用の内容器を示す縦断面図である。（実施例２）
【図６】本発明に於ける内容器の廻り止め機構の説明図である。（実施例２）
【符号の説明】
【００３０】
１…液体噴出容器
Ａ…カバー筒
２…底壁，３…周壁，４…螺条，５…係合凹溝                                    Ｂ…内容器
10…胴部，11…肩部，12…口頸部，13…フランジ部，14…係止突条，15…縦突条，      16…環状突条，17…隆起壁部，18…断面Ｖ字状の環状壁部，19…係合突起              20…プリフォーム
21…口頸部形成部分，22…胴部形成部分，                                        23…補助キャップ
Ｃ…ディスペンサー
30…シリンダ，31…ステム，32…押し下げヘッド，33…吸い上げ用のパイプ，
34…装着キャップ，35…第１周壁部，36…第２周壁部，37…第１頂板部，
38…第２頂板部，39…案内筒部，40…螺条，41…係合突条，42…縦突条，
43…係止突条，44…フランジ部
50…治具
【図１】
2008114859.tif 000003
【図２】
2008114859.tif 000004
【図３】
2008114859.tif 000005
【図４】
2008114859.tif 000006
【図５】
2008114859.tif 000007
【図６】
2008114859.tif 000008